(57)【特許請求の範囲】
【請求項１】
左右方向に横長で前方に開口する形態をなし、左右方向両側に配された一対の側面を有し、前記一対の側面が上下方向に延びる形態で設けられたハウジングと、
一対のアーム部が操作部によって連結された門形をなし、前記一対のアーム部が前記ハウジングの前記一対の側面に対して回動可能に装着され、前記操作部が前記ハウジングの後方に位置する後方位置に配されるレバーと、
前記ハウジングの後方でかつ前記後方位置に配された前記レバーの下方に組み付けられるカバーと、
前記ハウジングの後端から後方に延びて設けられ、前記操作部が係止することで前記レバーを前記後方位置に保持させるレバーロック部とを備え、
前記カバーは、アッパーカバーと、前記アッパーカバーの下方に組み付けられるロアーカバーとから構成され、
前記アッパーカバーは、前記ハウジングの後端に設けられた上側係止受け部を上方から覆う形態で、かつ、前記上側係止受け部に前方から係止する上側係止部を有しており、前記レバーロック部は、前記アッパーカバーの上面に沿って配されているレバー式コネクタ。
【請求項２】
前記ロアーカバーにおける前記アッパーカバーとの突当部には、前記アッパーカバーにおける前記ロアーカバーとの突当部に設けられたカバー係止受け部に上方から係止することで前記ロアーカバーの突当部と前記アッパーカバーの突当部とを突き当てた状態に保持させるカバー係止部が設けられている請求項１に記載のレバー式コネクタ。
【請求項３】
前記ロアーカバーは、前記アッパーカバーの突当部と前記ロアーカバーの突当部との対向部を覆う止水壁を備えている請求項２に記載のレバー式コネクタ。
【発明の詳細な説明】
【技術分野】
【０００１】
本明細書によって開示される技術は、レバー式コネクタに関する。
【背景技術】
【０００２】
従来、回動式のレバーを備えたレバー式コネクタとして、特開２０１３−４５５０９号公報（下記特許文献１）に記載のものが知られている。レバー式コネクタは、雌ハウジングと、雌ハウジングに対して回動可能に装着された門形のレバーと、雌ハウジングの後壁の上縁部から後方に延びる形態で設けられ、レバーを嵌合位置に保持させるハウジングロック部とを備えて構成されている。レバーは、雌ハウジングの左右両側壁に沿って配された一対のアーム部と、両アーム部の自由端部を互いに連結する操作部とを備えて構成され、操作部には、嵌合位置にてハウジングロック部と係止可能なレバーロック部が設けられている。
【先行技術文献】
【特許文献】
【０００３】
【特許文献１】特開２０１３−４５５０９号公報
【発明の概要】
【発明が解決しようとする課題】
【０００４】
ところで、上記のコネクタには、電線カバーが取り付けられており、電線カバーには、電線を外部に導出させるためのＵ字状の切欠部が設けられている。電線カバーをコネクタに取り付けると、ハウジングロック部が切欠部の内側に配置されるようになっており、これにより電線カバーの取付にあたってハウジングロック部が電線カバーに干渉しないようになっている。しかしながら、取付公差の関係上、切欠部を構成する左右両側縁とハウジングロック部との間には一定のクリアランスを設定する必要があり、コネクタキャビティへ高圧洗浄水が直接被水することや飛び石等を確実に防ぐことができないのが実情である。
【課題を解決するための手段】
【０００５】
本明細書によって開示されるレバー式コネクタは、ハウジングと、一対のアーム部が操作部によって連結された門形をなし、前記一対のアーム部が前記ハウジングの両側面に対して回動可能に装着され、前記操作部が前記ハウジングの後方に位置する後方位置に配されるレバーと、前記ハウジングの後方でかつ前記後方位置に配された前記レバーの下方に組み付けられるカバーと、前記ハウジングの後端から後方に延びて設けられ、前記操作部が係止することで前記レバーを前記後方位置に保持させるレバーロック部とを備え、前記カバーは、アッパーカバーと、前記アッパーカバーの下方に組み付けられるロアーカバーとから構成され、前記アッパーカバーは、前記ハウジングの後端に設けられた上側係止受け部を上方から覆う形態で、かつ、前記上側係止受け部に前方から係止する上側係止部を有しており、前記レバーロック部は、前記アッパーカバーの上面に沿って配されている構成とした。
【０００６】
このような構成によると、レバーロック部をアッパーカバーの上面に沿って配し、アッパーカバーの上側係止部をハウジングの上側係止受け部に前方から係止するようにしたから、ハウジングに対してアッパーカバーを後方から組み付けることができる。したがって、レバーロック部との干渉を避けるべく、アッパーカバーの一部を切り欠くことでハウジングに対して上方から組み付ける必要がないから、カバーによってハウジングの後端を確実に覆うことができ、コネクタキャビティへ高圧洗浄水が直接被水することや飛び石等を確実に防ぐことができる。
【０００７】
本明細書によって開示されるレバー式コネクタは、以下の構成としてもよい。
前記ロアーカバーにおける前記アッパーカバーとの突当部には、前記アッパーカバーにおける前記ロアーカバーとの突当部に設けられたカバー係止受け部に上方から係止することで前記ロアーカバーの突当部と前記アッパーカバーの突当部とを突き当てた状態に保持させるカバー係止部が設けられている構成としてもよい。
このような構成によると、アッパーカバーに対してロアーカバーを下方から組み付けることができる。
【０００８】
前記ロアーカバーは、前記アッパーカバーの突当部と前記ロアーカバーの突当部との対向部を覆う止水壁を備えている構成としてもよい。
このような構成によると、止水壁によってカバーの内部に水が浸入することが阻止されるため、コネクタキャビティに高圧洗浄水が直接被水することを確実に防ぐことができる。
【発明の効果】
【０００９】
本明細書によって開示されるレバー式コネクタによれば、カバーによってハウジングの後端を確実に覆うことができ、コネクタキャビティに高圧洗浄水が直接被水することや飛び石等を確実に防ぐことができる。
【図面の簡単な説明】
【００１０】
【図１】レバー式コネクタの正面図
【図２】レバー式コネクタの平面図
【図３】レバー式コネクタの右側面図
【図４】レバー式コネクタの左側面図
【図５】レバー式コネクタの底面図
【図６】レバー式コネクタの背面図
【図７】図１におけるＡ−Ａ線断面図
【図８】図７におけるＢ−Ｂ線断面図
【図９】図７におけるＣ−Ｃ線断面図
【図１０】アッパーカバーをハウジングに組み付ける途中の状態を示した断面図
【図１１】ロアーカバーをアッパーカバーに組み付ける前の状態を示した断面図
【図１２】図２に対応する平面図であって、アッパーカバーとロアーカバーをハウジングに対して上下逆に組み付けた状態を示した平面図
【発明を実施するための形態】
【００１１】
＜実施形態＞
実施形態１を図１から図１２の図面を参照しながら説明する。本実施形態１のレバー式コネクタ１０は、図２に示すように、合成樹脂製のハウジング２０と、合成樹脂製のレバー４０と、合成樹脂製のカバー５０とを備えて構成されている。ハウジング２０は、図１に示すように、左右方向に横長で前方に開口する形態をなし、ハウジング２０の内部には、図示しないコネクタキャビティが複数設けられている。なお、レバー式コネクタ１０は、図示しない相手側コネクタと嵌合可能とされ、以下においては嵌合方向を前後方向として説明する。また、上下方向および左右方向については図１を基準とする。
【００１２】
各コネクタキャビティは、いずれも前後方向に貫通する形態をなし、各コネクタキャビティには、図示しない端子が収容可能とされている。各端子は、図示しない電線の端末に接続されており、ハウジング２０から後方に引き出された各電線は、図２に示すように、カバー５０の内部において略直角に曲げられて図示左方向に向かった後、図４に示す電線導出口５０Ａからカバー５０の外部に導出される。
【００１３】
レバー４０は、図２に示すように、一対のアーム部４１と、一対のアーム部４１の端部同士を連結する操作部４２とからなり、全体として門形をなしている。一対のアーム部４１は、ハウジング２０の両側面に対して回動可能に装着されている。図２に示すレバー４０の位置は、操作部４２がハウジング２０の後方に位置する後方位置である。図示はしないものの、レバー４０は、操作部４２がハウジング２０の上方に位置する上方位置と、前述した後方位置との間を回動可能とされている。
【００１４】
アーム部４１の内側面には、カム溝４３が設けられており、図示しない相手側コネクタのカムピンがカム溝４３に進入した後、レバー４０を上方位置から後方位置へ回動させることで、カムピンがカム溝４３に沿って移動し、相手側コネクタとの嵌合が進行する。これとは逆に、レバー４０を後方位置から上方位置へ回動させることで、相手側コネクタとの離脱が進行する。
【００１５】
ハウジング２０の後端２２における上端部には、レバー４０を後方位置に保持させるレバーロック部２３が設けられている。レバーロック部２３は、図８に示すように、ハウジング２０の後端２２における上端部から後方に延びる形態をなす張出部２３Ａと、張出部２３Ａの後端部から上方に突出する保持突起２３Ｂとを備えて構成されている。張出部２３Ａは、後方に向かうほど板厚が小さくなる形態とされている。レバーロック部２３の張出部２３Ａの下面は、後述するアッパーカバー５２の上面に沿って配されている。
【００１６】
一方、レバー４０の操作部４２には、レバーロック部２３と係止する係止片部４４が設けられている。係止片部４４は弾性変形可能とされ、基端部４４Ａと、基端部４４Ａから片持ち状をなして突出する弾性片４４Ｂと、弾性片４４Ｂの突出端部に設けられた解除部４４Ｃと、基端部４４Ａと解除部４４Ｃの中間位置に設けられた係止部４４Ｄとを備えて構成されている。レバー４０を上方位置から後方位置へ回動させると、基端部４４Ａがレバーロック部２３の張出部２３Ａの上面に当接することでレバー４０の回動動作が停止される。また、レバー４０が後方位置に至ると、係止部４４Ｄが保持突起２３Ｂに係止することでレバー４０が後方位置に保持される。
【００１７】
カバー５０は、図３に示すように、ロアーカバー５１とアッパーカバー５２とからなり、各カバー５１、５２は、カバー５０のほぼ半分の高さ位置で上下方向に２分割されたものである。図９に示すように、ロアーカバー５１は、アッパーカバー５２との突当部５３を有しており、アッパーカバー５２は、ロアーカバー５１との突当部５４を有している。
【００１８】
ロアーカバー５１の突当部５３には、アッパーカバー５２の突当部５４の外周側面に沿って上方に延びる止水壁５５が設けられている。また、止水壁５５には、複数のロック片５５Ａが設けられている。一方、アッパーカバー５２の突当部５４には、複数のロック突部５４Ａが設けられている。ロアーカバー５１をアッパーカバー５２に対して下方から組み付けると、各ロック片５５Ａが各ロック突部５４Ａに上方から係止することにより、ロアーカバー５１とアッパーカバー５２が一体に組み付けられるとともに、両突当部５３、５４が突き当てられた状態に保持される。また、ロアーカバー５１の突当部５３とアッパーカバー５２の突当部５４との対向部は、止水壁５５によって外周側から覆われる。このため、高圧洗浄水によってカバー５０の内部が被水することを止水壁５５によって確実に防ぐことができる。なお、アッパーカバー５２の外周側面には、止水壁５５の上端部を上方から覆う覆い壁５９が設けられている。
【００１９】
アッパーカバー５２は、ハウジング２０の後端に設けられた上側係止受け部２４を上方から覆う形態で、かつ、上側係止受け部２４に前方から係止する上側係止部５６を有している。アッパーカバー５２は、図１０に示すように、ハウジング２０に対して傾けながら後方から組み付けられるようになっており、図１１に示すように、アッパーカバー５２の上側係止部５６がハウジング２０の上側係止受け部２４に係止させると、図８に示すように、アッパーカバー５２の開口縁部（図示左端部）がレバーロック部２３の張出部２３Ａの下面に当接することで係止状態が維持されるようになっている。つまり、アッパーカバー５２の開口縁部とレバーロック部２３の張出部２３Ａの下面とのクリアランスＣＬ１は、図９に示す上側係止部５６と上側係止受け部２４の係止代よりも小さいものとされている。したがって、前記クリアランスＣＬ１の分だけアッパーカバー５２が傾いたとしても、上側係止部５６と上側係止受け部２４の係止状態は維持され、アッパーカバー５２がハウジング２０に仮保持されるようになっている。なお、図９に示すように、レバー４０の操作部４２の下面とアッパーカバー５２の上面とは近接して配されており、上側係止部５６は操作部４２の前方に位置している。
【００２０】
ロアーカバー５１は、ハウジング２０の後端に設けられた下側係止受け部２５を下方から覆う形態で、かつ、下側係止受け部２５に前方から係止する下側係止部５７を有している。ロアーカバー５１は、図１１に示すように、アッパーカバー５２に対して下方から組み付けられるようになっている。アッパーカバー５２をロアーカバー５１に組み付けると、図９に示すように、ロアーカバー５１の下側係止部５７がハウジング２０の下側係止受け部２５に前方から係止することにより、ロアーカバー５１とアッパーカバー５２が一体となってハウジング２０に保持される。
【００２１】
また、図７に示すように、カバー５０の左右両側には、ハウジング２０の左右両側に設けられた左右一対の係止受け部２６Ｌ、２６Ｒを側方から覆う形態で、かつ、一対の係止受け部２６Ｌ、２６Ｒに前方から係止する一対の係止部５８Ｌ、５８Ｒが設けられている。両係止部５８Ｌ、５８Ｒが両係止受け部２６Ｌ、２６Ｒに前方から係止することにより、カバー５０がハウジング２０に保持される。さらに、図１２に示すように、本実施形態１のカバー５０では、アッパーカバー５２とロアーカバー５１をハウジング２０に対して上下逆に組み付けることができるようになっている。このようにすれば、電線をカバー５０の図示右側に導出することができる。この場合、ハウジング２０へのカバー５０の組付手順としては、ロアーカバー５１をハウジング２０に対して後方から組み付けることで仮保持させた後、アッパーカバー５２をハウジング２０に対して下方から組み付けることになる。
【００２２】
以上のように本実施形態１では、レバーロック部２３をアッパーカバー５２の上面に沿って配し、アッパーカバー５２の上側係止部５６をハウジング２０の上側係止受け部２４に前方から係止するようにしたから、ハウジング２０に対してアッパーカバー５２を後方から組み付けることができる。したがって、レバーロック部２３との干渉を避けるべく、アッパーカバーの一部を切り欠くことでハウジング２０に対して上方から組み付ける必要がないから、カバー５０によってハウジング２０の後端２２を確実に覆うことができ、コネクタキャビティへ高圧洗浄水が直接被水することや飛び石等を確実に防ぐことができる。
【００２３】
ロアーカバー５１におけるアッパーカバー５２との突当部５３には、アッパーカバー５２におけるロアーカバー５１との突当部５４に設けられたカバー係止受け部（ロック突部５４Ａ）に上方から係止することでロアーカバー５１の突当部５３とアッパーカバー５２の突当部５４とを突き当てた状態に保持させるカバー係止部（ロック片５５Ａ）が設けられている構成としてもよい。
このような構成によると、アッパーカバー５２に対してロアーカバー５１を下方から組み付けることができる。
【００２４】
ロアーカバー５１は、アッパーカバー５２の突当部５４とロアーカバー５１の突当部５３との対向部を覆う止水壁５５を備えている構成としてもよい。
このような構成によると、止水壁５５によってカバー５０の内部に水が浸入することが阻止されるため、コネクタキャビティに高圧洗浄水が直接被水することを確実に防ぐことができる。
【００２５】
＜他の実施形態＞
本明細書によって開示される技術は上記記述及び図面によって説明した実施形態１に限定されるものではなく、例えば次のような種々の態様も含まれる。
（１）上記実施形態１では両突当部５３、５４を突き当てた状態に保持されるカバー５０を例示しているものの、必ずしも両突当部５３、５４を突き当てた状態にしなくてもよい。
【００２６】
（２）上記実施形態１ではロアーカバー５１に止水壁５５を設けているものの、アッパーカバー５２に止水壁を設けてもよい。
【符号の説明】
【００２７】
１０…レバー式コネクタ
２０…ハウジング
２２…後端
２３…レバーロック部
２４…上側係止受け部
４０…レバー
４１…アーム部
４２…操作部
５０…カバー
５１…ロアーカバー
５２…アッパーカバー
５３…（ロアーカバーの）突当部
５４…（アッパーカバーの）突当部
５４Ａ…ロック突部（カバー係止受け部）
５５…止水壁
５５Ａ…ロック片（カバー係止部）
５６…上側係止部
【図１】
0006555533.tif 000002
【図２】
0006555533.tif 000003
【図３】
0006555533.tif 000004
【図４】
0006555533.tif 000005
【図５】
0006555533.tif 000006
【図６】
0006555533.tif 000007
【図７】
0006555533.tif 000008
【図８】
0006555533.tif 000009
【図９】
0006555533.tif 000010
【図１０】
0006555533.tif 000011
【図１１】
0006555533.tif 000012
【図１２】
0006555533.tif 000013